(57)【要約】      （修正有）【課題】木炭等の発熱体の燃焼を阻害することなく、油滴が発熱体に落下することを防止する調理用具を提供する。【解決手段】調理器具１は、食材を置く網３０と、網３０に置かれた食材を加熱する発熱体Ａを収容する収容部４０と、収容部４０と網３０との間において、網３０の方向に対して斜めの方向に設けられている面を有するとともに、水平方向に開放された穴を有する突起部５２が形成された天板５０と、を備える。調理器具１は、収容部４０の横に設けられており、発熱体Ａが発する熱を反射する反射板６０−１，６０−２をさらに備えてもよい。収容部４０と反射板６０−１，６０−２との間に設けられた、食材から落ちる液体を受ける液体受け部と、食材から落ちる液体が、液体受け部から流出することを防止する流れ防止部と、をさらに備えてもよい。【選択図】図２
0003189881.tif 000002
【実用新案登録請求の範囲】
【請求項１】
食材を置く網と、
前記網に置かれた前記食材を加熱する発熱体を収容する収容部と、
前記収容部と前記網との間において、前記網の方向に対して斜めの方向に設けられている面を有するとともに、水平方向に開放された穴を有する突起部が形成された天板と、
を備える調理用具。
【請求項２】
前記天板は、幅及び高さがそれぞれ異なる複数種類の前記突起部を有する、
請求項１に記載の調理用具。
【請求項３】
前記天板は、前記網に固定されている、
請求項１又は２に記載の調理用具。
【請求項４】
前記収容部の横に設けられており、前記発熱体が発する熱を反射する反射板をさらに備える、
請求項１から３のいずれか１項に記載の調理用具。
【請求項５】
前記収容部と前記反射板との間に設けられた、前記食材から落ちる液体を受ける液体受け部と、
前記食材から落ちる液体が、前記液体受け部から流出することを防止する流れ防止部と、
をさらに備える、
請求項４に記載の調理用具。
【考案の詳細な説明】
【技術分野】
【０００１】
本考案は、主に野外での食材の調理に用いられる調理器具に関する。
【背景技術】
【０００２】
従来、網に食材を置いて、網の下に置いた木炭等の発熱体により食材を加熱することができる調理器具が知られている。このような調理器具においては、任意の発熱体を用いて食材を加熱することが可能であり、バーベキュー場などで食材を調理する場合に適している。
【０００３】
特許文献１においては、網の下にガスコンロを設置して食材を加熱する調理器具が開示されている。また、特許文献２においては、炭を収容する炭篭に円錐形の蓋を設けた七輪が開示されている。
【先行技術文献】
【特許文献】
【０００４】
【特許文献１】特開平７−２２２６８０号公報
【特許文献２】特開２００５−２７３９２７号公報
【考案の概要】
【考案が解決しようとする課題】
【０００５】
食材を加熱すると、食材内の油脂成分を含む油滴が食材から落下する。例えば、網の上で肉を加熱すると、肉の油滴が網の下に載置された発熱体に落ちてしまう。油滴が発熱体に接触すると、大量の煙が発生するので好ましくない。
【０００６】
特許文献１に記載の調理器具においては、油滴が発熱体に接触することを防ぐために、油滴を受ける油滴受皿が設けられている。特許文献１に記載の調理器具のように、発熱体が地面に設置されることが想定されている場合は、発熱体の上部に油滴受皿が設けられても、発熱体の周囲に十分な空間があるので、十分な酸素を発熱体に供給することができる。
【０００７】
しかしながら、発熱体を地面に設置することは、火事や火傷等の事故につながる場合があるので、発熱体はできるだけ密閉された空間に収容されることが望ましい。このような場合に、特許文献２に記載の七輪のように、発熱体を収容する容器の上部に蓋を設けると、発熱体の周囲の空気の流れが停滞するので、発熱体が燃焼しづらくなってしまうという問題が生じる。
【０００８】
そこで、本考案はこれらの点に鑑みてなされたものであり、木炭等の発熱体の燃焼を阻害することなく、油滴が発熱体に落下することを防ぐことを目的とする。
【課題を解決するための手段】
【０００９】
本考案に係る調理器具は、食材を置く網と、前記網に置かれた前記食材を加熱する発熱体を収容する収容部と、前記収容部と前記網との間において、前記網の方向に対して斜めの方向に設けられている面を有するとともに、水平方向に開放された穴を有する突起部が形成された天板と、を備える。
【００１０】
前記天板は、幅及び高さがそれぞれ異なる複数種類の前記突起部を有してもよい。また、前記天板は、前記網に固定されていてもよい。
【００１１】
上記の調理器具は、前記収容部の横に設けられており、前記発熱体が発する熱を反射する反射板をさらに備えてもよい。前記収容部と前記反射板との間に設けられた、前記食材から落ちる液体を受ける液体受け部と、前記食材から落ちる液体が、前記液体受け部から流出することを防止する流れ防止部と、をさらに備えてもよい。
【考案の効果】
【００１２】
本考案によれば、木炭等の発熱体の燃焼を阻害することなく、油滴が発熱体に落下することを防止できるという効果を奏する。
【図面の簡単な説明】
【００１３】
【図１】第１の実施形態に係る調理器具の概略全体図である。
【図２】第１の実施形態に係る調理器具の内部構造を示す図である。
【図３】突起部の形状を示す図である。
【図４】第２の実施形態に係る調理器具の内部構造を示す図である。
【図５】第３の実施形態に係る調理器具の内部構造を示す図である。
【考案を実施するための形態】
【００１４】
＜第１の実施形態＞
図１は、第１の実施形態に係る調理器具１の概略全体図である。調理器具１は、本体部１０と、脚２０と、網３０と、収容部４０と、天板５０とを備える。
【００１５】
本体部１０は、上面が開放された直方体状の箱である。本体部１０は、耐熱性がある金属により構成されている。脚２０は、取り外し可能に本体部１０の四隅に設けられている。
【００１６】
網３０は、本体部１０の開放された面に取り外し可能に設けられている。網３０は、耐熱性がある金属により構成されている。網３０には、調理する対象となる食材が載置される。
【００１７】
収容部４０は、網３０に置かれた食材を加熱する発熱体（例えば、木炭）を収容する。収容部４０は、耐熱性がある金属により構成されている。収容部４０の底面には、発熱体よりも小さな複数の穴が形成されていてもよい。
【００１８】
収容部４０の４つの側面のうち、対向する２つの面は長方形である。収容部４０の４つの側面のうち、残りの２つの面は、５角形である。具体的には、当該５角形の側面は、網３０に最も近い位置の頂点を起点として傾斜する２つの辺と、当該２つの傾斜する辺の終点を起点とする垂直方向の２つの辺と、垂直方向の２つの辺の終点を結ぶ水平方向の辺とにより囲まれた５角形である。
【００１９】
天板５０は、収容部４０と網３０との間に設けられる。天板５０は、少なくとも一部の領域が網３０の方向に対して斜めの方向となる２つの面を有している。天板５０の２つの面は、収容部４０における傾斜する２つの辺に接する。
【００２０】
収容部４０に収容された発熱体を燃焼させることにより、発熱体から発せられる熱が、天板５０を介して網３０に置かれた食材に伝わり、食材が調理される。以下、収容部４０及び天板５０の構造の詳細について説明する。
【００２１】
図２は、第１の実施形態に係る調理器具１の内部構造を示す図である。収容部４０には、木炭Ａが設けられている様子が示されている。
【００２２】
図２に示すように、天板５０には、水平方向に開放された穴を有する複数の突起部５２が形成されている。図３は、突起部５２の形状を示す図である。図３（ａ）は、突起部５２の斜視図であり、図３（ｂ）は、突起部５２の断面図である。突起部５２は、傾斜する三角形状の２つの面を有しており、２つの面と天板５０の面との間に形成される三角形の穴を有する。突起部５２は、例えば、天板５０の面内の突起部５２を形成する位置に切れ目を形成した後にプレス加工することにより、形成することができる。複数の突起部５２の少なくとも一部は、天板５０が有する２つの面が接する稜線に対して互いに線対称となる位置に形成されている。
【００２３】
図３に示すように、突起部５２が水平方向に開放されているので、網３０の上の食材から落下する油滴は、収容部４０に入ることなく、天板５０の面を伝わって収容部４０の外部に落下する。突起部５２が、傾斜する２つの面を有することにより、突起部５２に落下した油滴は、いったん天板５０に落下した後に、収容部４０の外部に落下する。
【００２４】
天板５０に突起部５２が形成されていることにより、収容部４０の内部の空気の流れがよくなり、木炭Ａを効率的に燃焼させることができる。具体的には、収容部４０の底面に穴が形成されており、かつ、天板５０に突起部５２が形成されていることにより、木炭Ａにより空気が熱せられた高温の空気が突起部５２を介して排出され、収容部４０の底面の穴を介して外部から空気が吸入される。このようにして、木炭Ａに油滴が落下することを防止しつつ、木炭Ａに十分な酸素を供給することが可能になる。
【００２５】
木炭Ａが発する熱は、天板５０を介して網３０に放射されるとともに、収容部４０の側面からも放射される。収容部４０の側面から放射される熱を効果的に網３０の上の食材に伝えられるように、収容部４０の横に、複数の反射板６０（反射板６０−１、反射板６０−２）が設けられている。反射板６０は、傾斜する面を有しており、収容部４０の側面から放射される熱を、網３０に向けて反射する。水平面に対する反射板６０の傾斜角度は、例えば３０度以上６０度以下である。
【００２６】
以上のとおり、第１の実施形態に係る調理器具１によれば、発熱体に油滴が落下することを防止しつつ、発熱体に十分な酸素を供給することが可能になるので、発熱体の燃焼を阻害することなく、油滴が発熱体に落下することを防止できる。
【００２７】
また、天板５０の複数の面に突起部５２が形成されていることにより、調理器具１の使用者は、突起部５２が形成する穴に棒状の道具を挿入して天板５０を持ち上げることにより、天板５０を収容部４０から容易に取り外すことも可能になる。
【００２８】
＜第２の実施形態＞
図４は、第２の実施形態に係る調理器具１の内部構造を示す図である。第１の実施形態に係る天板５０には、三角形の穴を有する複数の突起部５２が形成されていたが、第２の実施形態に係る天板５０には、長方形の穴を有する突起部５４がさらに形成されている点で、第１の実施形態に係る天板５０と異なる。また、第２の実施形態においては、収容部４０の代わりに、網状の部材により構成される収容部４２が設けられており、収容部４２と反射板６０との間に、液体受け部７２及び防止壁７４が設けられている点でも、第１の実施形態と異なる。
【００２９】
以下、第１の実施形態と異なる点について説明する。
突起部５４は、水平方向に開放された長方形の穴を有する。突起部５４は、天板５０の２つの面のそれぞれに形成されている。複数の突起部５４は、例えば、天板５０の２つの面が接する稜線を挟んで互いに対称となる位置に形成されている。天板５０に突起部５４が形成されていることにより、調理器具１の使用者が突起部５２に挿入可能な道具を持っていない場合に、突起部５４に挿入可能な道具を用いて天板５０を取り外すことが可能になる。
【００３０】
続いて、液体受け部７２及び防止壁７４の機能について説明する。
液体受け部７２は、収容部４２と反射板６０との間に設けられており、食材から落ちる油滴などの液体を受けて貯めておくことができる。
【００３１】
液体受け部７２の周囲には、防止壁７４が設けられている。防止壁７４は、食材から落ちる油滴が液体受け部７２から流出することを防止する流れ防止部として機能する。具体的には、防止壁７４は、液体受け部７２の底面に対して突出する形状をしており、液体受け部７２に溜まった油滴が、液体受け部７２の外に広がることを防ぐことができる。防止壁７４は、液体受け部７２の短手方向に設けられた第１防止壁７４−１と、液体受け部７２の収容部４２の近傍において長手方向に設けられた第２防止壁７４−２とを有してもよい。
【００３２】
なお、図４に示す調理器具１において、複数の反射板６０は、一体成形することにより形成されてもよい。この場合、反射板６０は、複数の傾斜面と、収容部４２の下に設けられる面とが一体成形された部材となる。また、液体受け部７２及び防止壁７４を反射板６０と一体成形してもよい。
【００３３】
以上のとおり、第２の実施形態に係る調理器具１によれば、調理器具１の使用者が突起部５２に挿入可能な道具を持っていない場合に、突起部５４に挿入可能な道具を用いて天板５０を取り外すことが可能になる。また、食材から落ちる油滴が、本体部１０の内部で広がることを防止できるので、調理が終了した後の掃除が容易になる。また、収容部４２の側面が網により構成されていることにより、空気の流れが良くなり、発熱体が燃焼しやすくなる。
【００３４】
＜第３の実施形態＞
図５は、第３の実施形態に係る調理器具１の内部構造を示す図である。第３の実施形態に係る調理器具１においては、反射板６０−１及び反射板６０−２が、それぞれ別々に成形されている点で第２の実施形態と異なる。図５に示す反射板６０−１及び反射板６０−２は、収容部４２側の端部が折り曲げられることにより、壁が形成されている。このようにして形成された壁と傾斜面とで形成される溝状の部分に防止壁７４が設けられている。
【００３５】
また、図５に示す調理器具１においては、本体部１０の側面のうち、反射板６０−１及び反射板６０−２が設けられていない側の側面に穴が形成されている。このように、本体部１０の側面に穴が形成されていることにより、空気の流れがさらによくなり、発熱体が燃焼しやすくなる。
【００３６】
＜変形例＞
上記の実施形態において、天板５０が収容部４０又は収容部４２に載置されている構成について説明したが、天板５０は、網３０に固定されていてもよい。例えば、天板５０の四隅に穴が形成されており、Ｓ字状の部材の一端を網３０に係合させるとともに、他端を天板５０の四隅に形成された穴に係合させることにより、天板５０を網３０に吊り下げてもよい。
【００３７】
以上、本考案を実施の形態を用いて説明したが、本考案の技術的範囲は上記実施の形態に記載の範囲には限定されない。上記実施の形態に、多様な変更又は改良を加えることが可能であることが当業者に明らかである。そのような変更又は改良を加えた形態も本考案の技術的範囲に含まれ得ることが、実用新案登録請求の範囲の記載から明らかである。
【符号の説明】
【００３８】
１  調理器具
１０  本体部
２０  脚
３０  網
４０  収容部
４２  収容部
５０  天板
５２  突起部
５４  突起部
６０  反射板
７４  防止壁
【図１】
0003189881.tif 000003
【図２】
0003189881.tif 000004
【図３】
0003189881.tif 000005
【図４】
0003189881.tif 000006
【図５】
0003189881.tif 000007